(57)【要約】【課題】遊技領域における遊技釘のレイアウトを設計しやすくすることが出来ると共に、大型のセンター役物を有利に設けることが出来る、新規な構造のパチンコ機を提供することを、目的とする。【解決手段】遊技領域３４に向けて発射されてきた遊技球を直接当てさせて勢いをなくさせてから流下させる遊技球衝突面７０を、遊技領域３４に設けられたセンター役物５０の外表面５８において遊技球飛出口４８よりも上方に設けられた衝撃吸収部材６８の遊技球飛出口４８側の表面によって形成した。【選択図】図２
2008048969.tif 000002
【特許請求の範囲】
【請求項１】
遊技盤に形成されて、多数本の遊技釘が打ち込まれた遊技領域と、
前記遊技盤に設けられて、前記遊技領域へ向けて発射された遊技球を該遊技領域へ誘導する誘導通路と、
該誘導通路によって誘導されてきた前記遊技球が前記遊技領域に飛び出す際に通過する遊技球飛出口と、
前記遊技領域に設けられたセンター役物と、
該センター役物の外表面において、前記遊技球飛出口よりも上方に設けられた衝撃吸収部材と、
該衝撃吸収部材の前記遊技球飛出口側に位置する表面によって形成されており、該遊技球飛出口から前記遊技領域に飛び出してきた前記遊技球を直接当てさせて勢いをなくさせてから流下させる遊技球衝突面と
を、備えていることを特徴とするパチンコ機。
【請求項２】
前記センター役物の外表面に段状部分が形成されており、かかる段状部分に前記衝撃吸収部材が設けられていると共に、該衝撃吸収部材によって該段状部分の上側角部が覆い隠されている請求項１に記載のパチンコ機。
【請求項３】
前記衝撃吸収部材の上端面が前記遊技球飛出口側へと下る傾斜面とされている請求項１又は２に記載のパチンコ機。
【請求項４】
前記センター役物の外表面において、前記衝撃吸収部材を挟んで前記遊技球飛出口とは反対側の面が該遊技球飛出口とは反対側に下る誘導面とされており、前記遊技球が該誘導面を転動することによって前記遊技領域の下端に設けられたアウト口に誘導されるようになっている請求項１乃至３の何れか１項に記載のパチンコ機。
【発明の詳細な説明】
【技術分野】
【０００１】
本発明は、遊技盤に形成された遊技領域に対してセンター役物が設けられたパチンコ機に関するものである。
【背景技術】
【０００２】
近年、パチンコ機においては、遊技者を楽しませるための演出に様々な工夫が施されている。具体的には、例えば、大型の液晶表示器を用いて、迫力のある図柄変動や演出画像を画面に表示したり、大型の可動物を動かしたりすること等が行われている。
【０００３】
ところで、演出に用いられる可動物は、液晶表示器の表示画面を取り囲むようにして遊技領域に設けられたセンター役物に設けられていることがある。また、上述の如く、近年では、大型の液晶表示器が用いられる傾向にある。その結果、センター役物の全体サイズが大きくなってきており、それに伴って、遊技領域に占めるセンター役物の割合も大きくなってきている。
【０００４】
そこにおいて、遊技領域には、多数本の遊技釘が設けられているが、これら多数本の遊技釘の役割は、（１）発射されたきた遊技球の勢いをなくす役割と、（２）遊技球の流下方向を変化させて、遊技領域における特定の領域、具体的には、例えば、入賞装置が設けられた領域へ遊技球を導く役割とに大別することが出来る。そして、遊技領域における遊技釘のレイアウトを設計する際には、上記（１）の役割を果たす遊技釘が、遊技領域を流下する遊技球の流下開始位置等を設定する観点から、特に重要になってくる。
【０００５】
しかしながら、上述の如く、センター役物が遊技領域に占める割合が大きくなってくると、これまで上記（１）の役割を果たす遊技釘が設けられていた領域が狭くなるおそれがあり、そうすると、これまでとは異なる領域において上記（１）の役割を果たす遊技釘を設ける必要が出てくる。その結果、遊技領域における遊技釘のレイアウトの設計が、これまでよりも難しくなるおそれがある。
【０００６】
なお、特許文献１には、遊技盤に配置されたセンター役物の側面部分に対して衝撃力吸収材を取り付けておき、かかる衝撃力吸収材に当たった玉の衝撃力を吸収するパチンコ機が記載されている。このようなパチンコ機においては、センター役物を保護することは可能となる。しかしながら、遊技領域に向けて発射されてきた遊技球が衝撃力吸収材に対して最初に当たる訳ではないことから、遊技領域における遊技釘のレイアウトの設計が簡単になる訳ではない。
【０００７】
【特許文献１】特開２００３−６２２０２号公報
【発明の開示】
【発明が解決しようとする課題】
【０００８】
ここにおいて、本発明は、上述の如き事情を背景として為されたものであって、その解決課題とするところは、遊技領域における遊技釘のレイアウトを設計しやすくすることが出来ると共に、大型のセンター役物を有利に設けることが出来る、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明のパチンコ機は、多数本の遊技釘が打ち込まれた遊技領域が遊技盤に形成されており、かかる遊技領域にセンター役物が設けられていることを、特徴とする。また、本発明のパチンコ機は、遊技領域へ向けて発射された遊技球を遊技領域へ誘導する誘導通路を備えていることも、特徴とする。更に、本発明のパチンコ機は、センター役物の外表面において、誘導通路によって誘導されてきた遊技球が遊技領域に飛び出す際に通過する遊技球飛出口よりも上方に衝撃吸収部材が設けられていることも、特徴とする。更にまた、本発明のパチンコ機は、遊技球飛出口から遊技領域に飛び出してきた遊技球を直接当てさせて勢いをなくさせてから流下させる遊技球衝突面が、衝撃吸収部材の遊技球飛出口側に位置する表面によって形成されていることも、特徴とする。
【００１１】
このような本発明に従う構造とされたパチンコ機においては、遊技領域に向けて発射されてきた遊技球を直接当てさせて勢いをなくさせてから流下させる遊技球衝突面が、遊技領域に設けられたセンター役物の外表面において遊技球飛出口よりも上方に設けられた衝撃吸収部材の遊技球飛出口側の表面によって形成されていることから、遊技球を遊技球衝突面に当てると、かかる遊技球衝突面の形成された位置から遊技球が遊技領域を流下するようになる。これにより、遊技領域を流下する遊技球のスタート地点と流下開始時の速さを略一定にすることが可能になる。その結果、遊技領域における遊技釘のレイアウトを設計する際において、遊技領域に向けて発射されてきた遊技球の勢いをなくすための遊技釘を設ける必要がなくなり、また、かかる遊技釘に当たった遊技球のその後の様々な動きを考慮して遊技釘を設ける必要もなくなる。
【００１２】
従って、本発明のパチンコ機においては、遊技領域における遊技釘のレイアウトを設計しやすくすることが可能となる。
【００１３】
また、本発明においては、上述の如く、遊技領域に向けて発射されてきた遊技球の勢いをなくすための遊技釘を設ける必要がなくなることから、かかる遊技釘を設けるために必要であった領域にまでセンター役物の配設スペースを広げることが可能となる。
【００１４】
従って、本発明のパチンコ機においては、大型のセンター役物を有利に設けることが可能となる。
【００１５】
なお、本発明において、センター役物とは、遊技領域の略中央部分に設けられる役物であれば、特に限定されることはなく、例えば、液晶表示器やドットマトリクス等の表示装置を備えているものや、遊技球が入球可能な入賞口を備えているもの等が、何れも、採用され得る。
【００１６】
また、本発明において、遊技球飛出口とは、誘導通路の終端部分に形成される。
【００１７】
更にまた、本発明において、衝撃吸収部材の形成材料としては、遊技球飛出口から遊技領域に飛び出してきた遊技球が当たった際に遊技球の勢いをなくさせることが可能な程度の減衰特性を有していれば、特に限定されることはなく、例えば、特開２００３−２１４４９０号公報等に記載されているシリコーンを主原料とするゲル状素材や、特開２００４−３００３４２号公報等に記載されている、高分子材料を母材とし、その双極子モーメント量を増大させる活性成分が配合されたもの，特開２００４−２７１９６号公報等に記載されているポリプロピレン系樹脂発泡成形体，特開２００３−２６７５２号公報等に記載されているポリウレタンを成分として含むもの，特開平５−３３１３６４号公報等に記載されている硬質ポリウレタンフォーム，特開平９−２０２８５７号公報等に記載されている高分子有機材料と軟化剤とを含む熱可塑性材料からなるもの，特開平９−１５７４３４号公報等に記載されているシリコンゴムに微小中空ビーズを混入したもの等が採用される。
【００１８】
また、本発明において、遊技球衝突面は、遊技球飛出口から遊技領域に飛び出してきた遊技球の飛来方向に対する傾斜角度が大きくされていることが望ましく、より好適には、遊技球の飛来方向に対して略直交とされる。
【００１９】
更にまた、本発明のパチンコ機においては、センター役物の外表面に段状部分が形成されており、かかる段状部分に衝撃吸収部材が設けられていることが望ましい。これにより、衝撃吸収部材を配設するためのスペースを有利に確保することが可能となる。
【００２０】
そこにおいて、上述の如き構成を採用する場合、段状部分の上側角部が衝撃吸収部材によって覆い隠されていることが望ましい。これにより、衝撃に弱い部分に対して衝撃力が加わることを有利に軽減乃至は回避することが可能となる。その結果、センター役物の耐久性を高めることが可能となる。
【００２１】
また、本発明のパチンコ機においては、衝撃吸収部材の上端面が遊技球飛出口側へ下る傾斜面とされていることが望ましい。これにより、遊技領域に向けて発射されてきた遊技球が衝撃吸収部材の上端面に載った場合であっても、かかる遊技球が衝撃吸収部材の上端面に停留しないようにすることが可能となる。
【００２２】
さらに、本発明のパチンコ機においては、センター役物の外表面において、衝撃吸収部材を挟んで遊技球飛出口とは反対側の面が遊技球飛出口とは反対側に下る誘導面とされており、遊技球が誘導面を転動することによって遊技領域の下端に設けられたアウト口に誘導されるようになっていることが望ましい。これにより、遊技者が遊技球衝突面を狙って遊技球を発射するようにさせることが可能となる。その結果、遊技領域を流下する遊技球の流下開始地点を略一定にすることが有利に実現され得ることとなる。
【発明を実施するための最良の形態】
【００２３】
以下、本発明を更に具体的に明らかにするために、本発明の実施形態について、図面を参照しつつ、詳細に説明する。
【００２４】
図１には、本発明の第一の実施形態としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、後述する遊技領域３４が形成された遊技盤１６（図２参照）が着脱自在に組み付けられており、かかる遊技領域３４が、中枠１４に対して開閉可能に組み付けられたガラス扉１８によって保持されているガラス板２０を通して遊技者に視認されるようになっている。そして、中枠１４に設けられた操作ハンドル２２に対して回動可能に装着された操作レバー２４が遊技者に回動操作されることにより、中枠１４に設けられた打球供給皿２６に貯留されている遊技球が、図示しない球送り機構を介して発射装置（図示せず）に送られた後、遊技領域３４に向けて発射されるようになっている。
【００２５】
続いて、中枠１４に組み付けられている遊技盤１６について説明する。この遊技盤１６は、図２に示されているように、ラワン合板によって形成された遊技板２８の表面側にレールセット３０とコーナー飾り３２が設けられた構造とされている。そして、これらレールセット３０とコーナー飾り３２によって、略円形の遊技領域３４が遊技板２８の表面側に区画形成されている。
【００２６】
また、レールセット３０を構成する内側レール３６と外側レール３８は、それらの一部分が所定の間隔で並行に配設されている。これにより、図示しない発射装置から発射された遊技球を遊技領域３４に誘導する誘導通路４０が、遊技板２８の下端部分から時計回り（右回り）の方向に遊技板２８の上端近くまで形成されている。
【００２７】
そこにおいて、内側レール３６の終端部分には、球戻り防止部材４２が設けられている。この球戻り防止部材４２は、一端側が円弧状に湾曲せしめられた帯板状ばね片４４の他端側が内側レール３６の終端部分に取り付けられる取付片４６に固定された構造とされている。そして、取付片４６が内側レール３６の終端部分に取り付けられた状態で、円弧状に湾曲せしめられた帯板状ばね片４４の一端側は、外側レール３８の内側面に当接乃至は近接位置せしめられている。これにより、誘導通路４０の出口となる遊技球飛出口４８は、球戻り防止部材４２における帯板状ばね片４４によって塞がれた状態となる。その結果、誘導通路４０から遊技領域３４への遊技球の移動は、遊技球が帯板状ばね片４４を遊技領域３４側（外側レール３８とは反対の側）へ押しのけることで許容されるようになっているが、遊技領域３４から誘導通路４０への遊技球の移動は、帯板状ばね片４４が外側レール３８の内側面に当接することで阻止されるようになっている。
【００２８】
上述の如く、球戻り防止部材４２の帯板状ばね片４４によって誘導通路４０と分断された遊技領域３４には、センター役物５０が設けられている。このセンター役物５０は、ＡＢＳによって形成されており、全体として額縁形状を呈している。そして、センター役物５０の中央部分に形成された開口窓５２を通じて、遊技板２８の裏側に配設された液晶表示器の表示画面５４が遊技者に視認されるようになっている。
【００２９】
また、センター役物５０には、液晶表示器の表示画面５４の前方を遊技球が落下することを防止するために、ガラス扉１８が閉じられた状態でガラス板２０の近くまで突出する庇状部分５６が設けられている。そこにおいて、本実施形態の庇状部分５６は、開口窓５２の上側縁部分を含んで開口窓５２の周囲を半周以上に亘って取り囲むように設けられている。
【００３０】
さらに、本実施形態の庇状部分５６の外表面としての外周面５８には、センター役物５０の幅方向（図２中の左右方向）中央よりも遊技球飛出口４８側において、段差面６０が形成されている。そこにおいて、本実施形態の段差面６０は、その縦方向（図２中の上下方向）及び横方向（図２において紙面に垂直な方向）の寸法が、何れも、遊技球の直径よりも大きくされている。そして、かかる段差面６０を挟んで遊技球飛出口４８側が低位置面６２とされている一方、遊技球飛出口４８とは反対側が高位置面６４とされている。即ち、本実施形態では、センター役物５０の庇状部分５６の外周面５８に対して、段差面６０と高位置面６４を含んで構成された段状部分６６が形成されているのである。
【００３１】
なお、本実施形態では、遊技板２８にセンター役物５０が取り付けられた状態で、高位置面６４は、遊技球が１個通過することが出来る程度の隙間をあけて、外側レール３８やコーナー飾り３２，内側レール３６に対向位置せしめられている。
【００３２】
また、センター役物５０の庇状部分５６の外周面５８には、衝撃吸収部材６８が設けられている。そこにおいて、本実施形態の衝撃吸収部材６８は、シリコーンを主原料とするゲル状素材によって形成されており、全体としてシート形状を呈している。また、本実施形態の衝撃吸収部材６８は、後述する遊技球衝突面７０に衝突した遊技球を、低位置面６２上に落下させた後、かかる低位置面６２上で転動させることが可能な程度の減衰特性を有していれば良く、より好適には、遊技球衝突面７０に沿って略真下に落下させることが可能な程度の減衰特性を有することとされる。このような衝撃吸収部材６８は、段差面６０の全体に対して接着剤で貼り付けられることにより、センター役物５０の庇状部分５６の外周面５８に設けられている。即ち、本実施形態では、衝撃吸収部材６８の縦方向（図２中の上下方向）及び横方向（図２において紙面に垂直な方向）の寸法が、何れも、遊技球の直径よりも大きくされているのである。なお、本実施形態における衝撃吸収部材６８の上端面は、高位置面６４に対して滑らかに接続されるようになっている。
【００３３】
さらに、本実施形態では、衝撃吸収部材６８において段差面６０に貼り付けられているほうとは反対側の面（以下、遊技球衝突面７０と称する）は、遊技球飛出口４８よりも上方に位置せしめられており、遊技球飛出口４８から遊技領域３４へ飛び出してきた遊技球が当たる方向に対して、略直交する方向に広がっている。
【００３４】
上述の如きセンター役物５０が設けられた遊技領域３４には、その他に、遊技球の入賞により賞球（遊技球）が払い出される普通入賞装置７２や遊技球の入賞により液晶表示器の表示画面５４において複数の変動図柄（図示せず）の変動を開始する始動入賞装置７４，液晶表示器の表示画面５４において複数の変動図柄が所定の図柄組み合わせで停止表示された場合に所定の開放条件に基づく扉の開放制御により遊技球が入賞可能となる特別可変入賞装置７６等の各種入賞装置が設けられている。また、遊技球の流下方向に変化を与える遊技釘７８も多数本設けられている。そこにおいて、これら多数本の遊技釘７８は、センター役物５０や各種入賞装置７２，７４，７６が配設されていない領域に設けられており、特に本実施形態では、球戻り防止部材４２よりも下方の位置に設けられている。更にまた、遊技領域３４の下端部分には、何れの入賞装置７２，７４，７６にも入賞しなかった遊技球を遊技盤１６の裏側に排出するためのアウト口８０が形成されている。
【００３５】
このような構造とされたパチンコ機１０においては、遊技者が操作レバー２４を回動操作することで発射された遊技球は、誘導通路４０によって誘導されてきた後、球戻り防止部材４２における帯板状ばね片４４を押しのけることにより、遊技球飛出口４８を通過して遊技領域３４に飛び出すようになっている。
【００３６】
そこにおいて、発射された遊技球の勢いが適当である場合、遊技球は遊技球衝突面７０に当たることにより、その勢いが殺されて、略真下に落下し、低位置面６２に当たる。即ち、遊技球は、遊技球衝突面７０に衝突して勢いがなくなってから遊技領域３４を流下し始めるのである。また、このようにして、低位置面６２に落下してきた遊技球は、その後、低位置面６２からの抗力を受けなくなるまで、低位置面６２上を遊技球飛出口４８側に下って行く。そして、低位置面６２上を転動していた遊技球は、低位置面６２からの抗力を受けなくなると、低位置面６２から離れて、遊技釘７８に当たりながら、遊技領域３４を流下することとなる。特に本実施形態では、上述の如く遊技球衝突面７０に当たった後に低位置面６２上を転動する遊技球を始動入賞装置７４が配設された領域へ導くようにして、遊技釘７８が設けられていることから、適当な勢いで発射された遊技球は、始動入賞装置７４に入賞する確率が高くなっている。なお、適当な勢いで発射された遊技球であっても、始動入賞装置７４に必ず入賞するわけではなく、他の入賞装置７２，７６に入賞したり、或いは、何れの入賞装置７２，７４，７６にも入賞せずにアウト口８０から遊技盤１６の裏側へ排出されることもある。
【００３７】
一方、発射時の勢いが弱い遊技球は、球戻り防止部材４２における帯板状ばね片４４を押しのけて遊技領域３４に飛び出すことが出来ない。
【００３８】
また、発射時の勢いが強い場合、遊技球は、衝撃吸収部材６８を越えて、高位置面６４に当たる。そこにおいて、発射時の勢いが強すぎる場合、遊技球は、センター役物５０における庇状部分５６と、外側レール３８，コーナー飾り３２及び内側レール３６との間に形成された隙間を通ってアウト口８０へ誘導されるようになっている。一方、発射時の勢いが強すぎない場合、遊技球は、高位置面６４上を衝撃吸収部材６８側（球戻り防止部材４２側）へ転動してきて、低位置面６２に落下した後、遊技釘７８に当たりながら、遊技領域３４を流下する。そして、遊技領域３４を流下している途中で、遊技球は、何れかの入賞装置７２，７４，７６に入賞したり、或いは、何れの入賞装置７２，７４，７６にも入賞せずに、アウト口８０から遊技盤１６の裏側に排出される。
【００３９】
従って、上述の如き構造とされたパチンコ機１０においては、遊技球衝突面７０に遊技球を衝突させることで、これから遊技領域３４を流下する遊技球のスタート地点と流下開始時の速さを略一定にすることが可能となり、それによって、遊技領域３４における遊技釘７８のレイアウトを設計する際に、遊技領域に飛び出してきた遊技球が最初に遊技釘に当たる従来構造のパチンコ機に比して、遊技球の流下方向や流下時の速さについて様々なバリエーションを考慮する必要がなくなり、その結果、遊技領域３４における遊技釘７８のレイアウト設計を容易にすることが可能となる。
【００４０】
また、遊技領域に飛び出してきた遊技球の勢いを殺すための遊技釘を設ける必要がなくなることから、従来構造のパチンコ機においてかかる遊技釘が設けられていた領域にまでセンター役物の配設スペースを広げることが可能となる。その結果、大型のセンター役物５０の採用を有利に実現することが可能となる。
【００４１】
更にまた、本実施形態では、センター役物５０の庇状部分５６に形成された段差面６０に対して衝撃吸収部材６８が貼り付けられていることから、衝撃吸収部材６８を庇状部分５６の外周面５８から突出しないように配設するためのスペースを有利に確保することが可能となる。
【００４２】
特に本実施形態では、衝撃吸収部材６８の上端面がセンター役物５０の庇状部分５６における高位置面６４と滑らかに接続されていることから、発射時の勢いが強くて衝撃吸収部材６８を越えてしまった遊技球が高位置面６４上を転動して戻ってきた場合であっても、衝撃吸収部材６８が障害物となって遊技球の転動を邪魔することを有利に回避することが可能となる。
【００４３】
また、本実施形態では、遊技球衝突面７０に当たった遊技球が始動入賞装置７４に入賞しやすいように遊技釘７８が設けられていることから、遊技者に遊技球衝突面７０を狙って遊技球を発射させるようにすることが可能となる。
【００４４】
続いて、本発明の第二の実施形態について、図３を参照しつつ、説明する。なお、以下に記載の第二乃至第六の実施形態において、第一の実施形態と同様な構造とされた部材及び部位については、図中に、第一の実施形態と同一の符号を付すことにより、それらの詳細な説明を省略することにする。
【００４５】
本実施形態のパチンコ機は、第一の実施形態のパチンコ機（１０）に比して、採用されている遊技盤８２の構造が異なっている。より詳細には、本実施形態の遊技盤８２には、内側レール３６とセンター役物５０の間に、内側レール３６と所定の間隔で並行に配設された分岐レール８４が位置せしめられている。
【００４６】
そこにおいて、本実施形態では、分岐レール８４を挟んで内側レール３６のほうには、遊技釘７８が設けられていないが、分岐レール８４を挟んで内側レール３６とは反対側、即ち、センター役物５０側には、遊技釘７８が設けられている。
【００４７】
このような構造とされたパチンコ機においては、発射時の勢いが弱かった遊技球は、内側レール３６と分岐レール８４の間を通って、アウト口８０へ誘導されるようになっており、発射時の勢いが強かった遊技球は、センター役物５０の高位置面６４と、外側レール３８，コーナー飾り３２及び内側レール３６との間を通ってアウト口８０へ誘導されるようになっている。一方、発射時の勢いが適当であった遊技球は、遊技球衝突面７０に当たった後、低位置面６２に落下し、センター役物５０と分岐レール８４の間を通って、遊技釘７８に当たりながら、始動入賞装置７４が設けられた領域へ導かれるようになっている。
【００４８】
従って、このような構造とされたパチンコ機においても、第一の実施形態と同様な効果を得ることが可能となる。
【００４９】
また、本実施形態では、遊技球衝突面７０に当たるような発射強度で遊技球を発射しなければ、始動入賞装置７４が設けられた領域へ遊技球が導かれないようになっていることから、遊技者に遊技球衝突面７０を狙って遊技球を発射させるようにすることが可能となる。
【００５０】
次に、本発明の第三の実施形態について、図４及び図５に基づいて、説明する。本実施形態のパチンコ機は、第一の実施形態のパチンコ機（１０）に比して、採用されている遊技盤８８の構造が異なっている。より詳細には、本実施形態の遊技盤８８は、第一の実施形態の遊技盤（１６）に比して、内側レール３６が長くされており、それによって、内側レール３６の終端部分に設けられた球戻り防止部材４２における帯板状ばね片４４が、図５に示されているように、遊技球９０によって押しのけられた状態で、その先端と遊技球衝突面７０との間に遊技球１個分よりも少し大きな隙間が形成されるようになっている。その結果、帯板状ばね片４４を押しのけて遊技領域３４に飛び出してきた遊技球が、遊技球衝突面７０に当たりやすくされている。
【００５１】
このような構造とされたパチンコ機においても、遊技領域３４に飛び出してきた遊技球が最初に遊技球衝突面７０に当たるようになっていることから、第一の実施形態と同様な効果を得ることが可能となる。
【００５２】
また、本実施形態では、帯板状ばね片４４が遊技球９０によって押しのけられた状態で、帯板状ばね片４４の先端と遊技球衝突面７０との間に遊技球１個分よりも少し大きな隙間が形成されるようになっていることから、帯板状ばね片４４を押しのけて遊技領域３４に飛び出してきた遊技球が遊技球衝突面７０に当たり易くされており、その結果、遊技領域３４を流下する遊技球のスタート地点と流下開始時のスピードを略一定にすることを有利に実現することが可能となる。
【００５３】
更にまた、本実施形態では、遊技球の発射強度が弱い場合、発射された遊技球が帯板状ばね片４４によって押し戻されることから、遊技球の発射強度を弱く出来ないようにすることが可能となる。
【００５４】
次に、本発明の第四の実施形態について、図６に基づいて、説明する。なお、第四乃至第六の実施形態の説明において使用する図６乃至図８には、その要部のみを示している。
【００５５】
本実施形態のパチンコ機は、第一の実施形態のパチンコ機（１０）に比して、採用されている衝撃吸収部材９２が異なっている。本実施形態の衝撃吸収部材９２は、段状部分６６の上側角部９４を覆い隠すようにして設けられている。
【００５６】
このような構造とされたパチンコ機においても、遊技領域３４に飛び出してきた遊技球が最初に遊技球衝突面７０に当たるようになっていることから、第一の実施形態と同様な効果を得ることが可能となる。
【００５７】
また、本実施形態では、衝撃吸収部材９２によって段状部分６６の上側角部９４が覆い隠されていることから、上側角部９４に遊技球が衝突することによるセンター役物５０の破損を有利に回避することが可能となる。その結果、センター役物５０の耐久性を向上させることが可能となる。
【００５８】
次に、本発明の第五の実施形態について、図７に基づいて、説明する。本実施形態のパチンコ機は、第一の実施形態のパチンコ機（１０）に比して、採用されている衝撃吸収部材９６が異なっている。より詳細には、本実施形態の衝撃吸収部材９６は、全体として厚肉の矩形ブロック形状とされており、その上端面９８が遊技球飛出口４８側に下る傾斜面とされている。
【００５９】
このような構造とされたパチンコ機においても、遊技領域３４に飛び出してきた遊技球が最初に遊技球衝突面７０に当たるようになっていることから、第一の実施形態と同様な効果を得ることが可能となる。
【００６０】
また、本実施形態では、衝撃吸収部材９６の上端面９８が遊技球飛出口４８側に下る傾斜面とされていることから、衝撃吸収部材９６の上端面９８に衝突した遊技球があった場合でも、遊技球を上端面９８において遊技球飛出口４８側へ転動させることが可能となる。その結果、衝撃吸収部材９６の上端面９８で遊技球が停留してしまうことを有利に回避することが可能となる。
【００６１】
次に、本発明の第六の実施形態について、図８に基づいて、説明する。本実施形態のパチンコ機は、第一の実施形態のパチンコ機（１０）に比して、採用されている衝撃吸収部材１００が異なっていると共に、高位置面１０２の形状が異なっている。
【００６２】
より詳細には、本実施形態の衝撃吸収部材１００は、厚肉の矩形ブロック形状を呈しており、その上端面１０４は、高位置面１０２よりも上方に位置せしめられている。また、本実施形態の高位置面１０２は、そこに載置された遊技球が衝撃吸収部材１００側とは反対の方向に下る形状とされている。そして、かかる高位置面１０２を転動する遊技球は、遊技領域３４の下端に形成されたアウト口８０へと誘導されるようになっている。このことから明らかなように、本実施形態では、高位置面１０２によって誘導面が構成されている。
【００６３】
このような構造とされたパチンコ機においても、遊技領域３４に飛び出してきた遊技球が最初に遊技球衝突面７０に当たるようになっていることから、第一の実施形態と同様な効果を得ることが可能となる。
【００６４】
また、本実施形態では、高位置面１０２上にある遊技球が衝撃吸収部材１００とは反対側に向かって転動するようになっていることから、発射時の遊技球の勢いが強くて、発射された遊技球が衝撃吸収部材１００を越えてしまった場合であっても、遊技球が高位置面１０２上において衝撃吸収部材１００側へ転動することを有利に回避することが可能となり、それによって、上端面１０４が高位置面１０２よりも上方に位置せしめられた衝撃吸収部材１００が遊技球の転動を邪魔してしまうことを有利に回避することが可能となる。
【００６５】
以上、本発明の幾つかの実施形態について詳述してきたが、これらはあくまでも例示であって、本発明は、かかる実施形態における具体的な記載によって、何等、限定的に解釈されるものではない。
【００６６】
例えば、前記第一乃至第六の実施形態において、センター役物５０に段状部分６６を設ける必要はなく、図９に示されているように、センター役物５０の庇状部分５６の外周面５８から突出するようにして、衝撃吸収部材１０６を設けることも、勿論、可能である。また、図１０に示されているように、センター役物５０における庇状部分５６の外周面５８に開口する溝状乃至は穴状の凹所１１０内に衝撃吸収部材１０８を収容すると共に、かかる衝撃吸収部材１０８を外周面５８から突出させるようにしても良い。因みに、図１０では、溝状の凹所１１０が形成された庇状部分５６の要部が示されている。なお、図９及び図１０では、理解を容易にするために、第一の実施形態と同様な構造とされた部材及び部位については、図中に、第一の実施形態と同一の符号を付してある。
【００６７】
また、図１１に示されているように、第四の実施形態において、段状部分６６のガラス板２０側の部分も衝撃吸収部材９２で覆い隠すようにしても良い。なお、このような衝撃吸収部材の配設形態は、第五及び第六の実施形態においても、採用することは可能である。
【００６８】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６９】
【図１】本発明の第一の実施形態としてのパチンコ機を示す正面図。
【図２】同パチンコ機で採用されている遊技盤を示す正面図。
【図３】本発明の第二の実施形態としてのパチンコ機で採用されている遊技盤を示す正面図。
【図４】本発明の第三の実施形態としてのパチンコ機で採用されている遊技盤を示す正面図。
【図５】同遊技盤で採用されている球戻り防止部材における帯板状ばね片が遊技球で押しのけられた状態を説明するための正面図。
【図６】本発明の第四の実施形態で採用されている遊技盤の要部を説明するための説明図。
【図７】本発明の第五の実施形態で採用されている遊技盤の要部を説明するための説明図。
【図８】本発明の第六の実施形態で採用されている遊技盤の要部を説明するための説明図。
【図９】本発明における衝撃吸収部材をセンター役物に設ける態様を説明するための説明図。
【図１０】本発明における衝撃吸収部材をセンター役物に設ける他の態様を説明するための説明図。
【図１１】本発明の第四の実施形態で採用可能な他の衝撃吸収部材を説明するための説明図。
【符号の説明】
【００７０】
１０：パチンコ機，１６：遊技盤，３４：遊技領域，４０：誘導通路，４８：遊技球飛出口，５０：センター役物，５８：外周面，６８：衝撃吸収部材，７０：遊技球衝突面，７８：遊技釘
【図２】
2008048969.tif 000003
【図３】
2008048969.tif 000004
【図４】
2008048969.tif 000005
【図５】
2008048969.tif 000006
【図６】
2008048969.tif 000007
【図７】
2008048969.tif 000008
【図８】
2008048969.tif 000009
【図９】
2008048969.tif 000010
【図１０】
2008048969.tif 000011
【図１１】
2008048969.tif 000012
【図１】
2008048969.tif 000013